(57)【要約】【課題】ＯＦＤＭＡ方式特有のシンボル間干渉を低減する。【解決手段】移動局１２は、直交周波数分割多元接続（ＯＦＤＭＡ）方式を採用する複数の基地局のそれぞれから送信される無線信号の受信品質を測定する受信品質測定部２６と、それら複数の基地局のそれぞれから送信される無線信号の伝搬遅延時間を推定する伝搬遅延時間推定部２８と、伝搬遅延時間推定部２８により推定される伝搬遅延時間の短さに基づいて、それら複数の基地局のうち受信品質が所定品質以上である基地局のいずれかを接続先として選択する接続先選択部３０と、を含む。【選択図】図３
2011114603.tif 000002
【特許請求の範囲】
【請求項１】
直交周波数分割多元接続方式を採用する複数の基地局のそれぞれから送信される無線信号の受信品質を測定する測定手段と、
前記複数の基地局のそれぞれから送信される無線信号の伝搬遅延時間を推定する推定手段と、
前記推定手段により推定される伝搬遅延時間の短さに基づいて、前記複数の基地局のうち前記受信品質が所定品質以上である基地局のいずれかを接続先として選択する選択手段と、
を含むことを特徴とする移動局。
【請求項２】
請求項１に記載の移動局において、
前記選択手段は、前記測定手段より測定される受信品質が所定品質以上である基地局の中から、前記推定手段により推定される伝搬遅延時間が最も短い基地局を接続先として選択する、
ことを特徴とする移動局。
【請求項３】
請求項１または２に記載の移動局において、
前記選択手段により選択される基地局が当該移動局が接続している基地局と異なる場合に、前記選択手段により選択される基地局へのハンドオーバを行う、
ことを特徴とする移動局。
【請求項４】
請求項１または２に記載の移動局において、
当該移動局が接続している基地局から送信される無線信号の受信品質が前記所定品質未満となった場合に、前記選択手段により選択される基地局へのハンドオーバを行う、
ことを特徴とする移動局。
【請求項５】
請求項１または２に記載の移動局において、
前記選択手段により選択される基地局に新規接続を要求する、
ことを特徴とする移動局。
【請求項６】
請求項１から４のいずれかに記載の移動局において、
前記推定手段は、前記複数の基地局のそれぞれから送信される無線信号の受信タイミングに基づいて、該無線信号の伝搬遅延時間を推定する、
ことを特徴とする移動局。
【請求項７】
請求項１から４のいずれかに記載の移動局において、
前記推定手段は、当該移動局と前記複数の基地局それぞれとの距離を取得し、該距離に基づいて、前記複数の基地局のそれぞれから送信される無線信号の伝搬遅延時間を推定する、
ことを特徴とする移動局。
【請求項８】
直交周波数分割多元接続方式を採用する複数の基地局のそれぞれから送信され移動局に受信される無線信号の受信品質を測定するステップと、
前記複数の基地局のそれぞれから送信され前記移動局に受信される無線信号の伝搬遅延時間を推定するステップと、
前記推定された伝搬遅延時間の短さに基づいて、前記複数の基地局のうち前記受信品質が所定品質以上である基地局のいずれかを前記移動局の接続先として選択するステップと、
を含むことを特徴とする接続先選択方法。
【発明の詳細な説明】
【技術分野】
【０００１】
本発明は、移動局および接続先選択方法に関し、特に、周辺セルへの電波干渉を抑制する技術に関する。
【背景技術】
【０００２】
従来の移動通信システムでは、移動局が、周辺基地局から送信される無線信号の受信品質に基づいて、接続先となる基地局を選択する。
【０００３】
たとえば、ＯＦＤＭＡ（Orthogonal Frequency Division Multiple Access：直交周波数分割多元接続）方式およびＴＤＭＡ／ＴＤＤ（Time Division Multiple Access/Time Division Duplex：時分割多元接続／時分割複信）方式を採用するＸＧＰ（eXtended Global Platform）では、移動局が、周辺基地局から送信される無線信号のＲＳＳＩ（Received Signal Strength Indication：受信信号強度）に基づいて、接続先となる基地局を選択する（非特許文献１参照）。
【０００４】
ところで、ＸＧＰのようにＯＦＤＭＡ方式を採用する移動通信システムでは、ＯＦＤＭ信号の復調にＦＦＴ（Fast Fourier Transform：高速フーリエ変換）を用いる。具体的には、ＣＰ（Cyclic Prefix）またはＧＩ（Guard Interval）と呼ばれる冗長信号とデータ信号とからなる１シンボル分のＯＦＤＭ信号に対してＦＦＴを施すことによって、１つのシンボルデータが得られる。ただし、隣接する２シンボル分のＯＦＤＭ信号の境界をまたぐタイミングでＦＦＴを施すと、いわゆるシンボル間干渉（Inter Symbol Interference：ＩＳＩ）が発生して正しい復調が行えない。
【０００５】
このため、移動局は、接続した基地局から送信される無線信号の伝搬遅延時間に基づいて、基地局への無線信号の送信タイミングを調整している（たとえば特許文献１参照）。これにより、基地局に近い移動局から送信される無線信号の受信タイミングと、基地局から遠い移動局から送信される無線信号の受信タイミングと、の時間差がＣＰ長（許容遅延時間）未満となり、シンボル間干渉の発生が抑制される。
【先行技術文献】
【特許文献】
【０００６】
【特許文献１】特開２００２−７７０８７号公報
【非特許文献】
【０００７】
【非特許文献１】“ARIB STD-T95 Version 1.2「OFDMA/TDMA TDD Broadband Wireless Access System (Next Generation PHS)」”、平成２１年３月１８日、社団法人電波産業会
【発明の概要】
【発明が解決しようとする課題】
【０００８】
上記従来の移動通信システムでは、無線信号の受信品質に基づいて移動局の接続先を決定するため、必ずしも移動局に近い基地局が接続先として選択されるとは限らない。たとえば、近いが見通しの悪い基地局から送信される無線信号の受信品質よりも、遠いが見通しの良い基地局から送信される無線信号の受信品質の方が高い場合、移動局は、遠くの基地局を接続先として選択する。
【０００９】
しかしながら、ＯＦＤＭＡ方式を採用する移動通信システムでは、遠くの基地局に接続している移動局が、周辺セルへのシンボル間干渉源となる場合がある。以下、この理由を図５〜図７に基づいて説明する。
【００１０】
図５は、ＯＦＤＭＡ方式を採用する従来の移動通信システム５０を示す図である。図５に示すように、移動局５２−１，５２−２，５２−３は、基地局５４−１，５４−２，５４−３にそれぞれ接続しており、また、基地局５４−１〜５４−３のセル５６−１〜５６−３は、相互に重複しているものとする。また、基地局５４−１〜５４−３の間では、無線信号の送受信タイミングが同期しているものとする。
【００１１】
ここで、移動局５２−１が、図５中の矢印で示す方向に移動する場合、基地局５４−２および基地局５４−３のいずれかを新たな接続先（ハンドオーバ先）として選択する必要がある。このとき、移動局５２−１と基地局５４−２との間に位置する建物５８の影響で、移動局５２−１に近い基地局５４−２から送信される無線信号の受信品質よりも、移動局５２−１から遠い基地局５４−３から送信される無線信号の受信品質の方が高ければ、移動局５２−１は、基地局５４−３をハンドオーバ先として選択することになる。
【００１２】
そして、基地局５４−３に接続すると、移動局５２−１は、遠くの基地局５４−３から送信される無線信号の伝搬遅延時間に基づいて、無線信号の送信タイミングを早める。これにより、図６に示すように、移動局５２−１から送信される無線信号の基地局５４−３における受信タイミングは、移動局５２−３から送信される無線信号の基地局５４−３における受信タイミングとほぼ一致するようになる。
【００１３】
ただし、移動局５２−１から早めのタイミングで送信される無線信号は、基地局５４−３だけでなく基地局５４−２にも到達する。このため、移動局５２−１、基地局５４−２および基地局５４−３の位置関係によっては、図７に示すように、移動局５２−１から送信される無線信号の基地局５４−２における受信タイミングが、移動局５２−２から送信される無線信号の基地局５４−２における受信タイミングより、ＣＰ長以上早くなる場合がある。この場合、基地局５４−２では、隣接する２シンボル分のＯＦＤＭ信号の境界をまたぐタイミングでＦＦＴを施すことになるため、ＯＦＤＭＡ方式特有のシンボル間干渉による雑音電力が発生してしまう。
【００１４】
このように、ＯＦＤＭＡ方式を採用する移動通信システムでは、遠くの基地局に接続している移動局が、それより近くの基地局に接続している他の移動局の通信に対してシンボル間干渉源となる場合がある。
【００１５】
本発明は、上記課題に鑑みてなされたものであり、ＯＦＤＭＡ方式特有のシンボル間干渉を低減することができる移動局および接続先選択方法を提供することを目的とする。
【課題を解決するための手段】
【００１６】
上記課題を解決するために、本発明に係る移動局は、直交周波数分割多元接続方式を採用する複数の基地局のそれぞれから送信される無線信号の受信品質を測定する測定手段と、前記複数の基地局のそれぞれから送信される無線信号の伝搬遅延時間を推定する推定手段と、前記推定手段により推定される伝搬遅延時間の短さに基づいて、前記複数の基地局のうち前記受信品質が所定品質以上である基地局のいずれかを接続先として選択する選択手段と、を含むことを特徴とする。
【００１７】
本発明では、移動局が、ＯＦＤＭＡ方式を採用する複数の基地局のそれぞれから送信される無線信号の伝搬遅延時間の短さ（たとえば、伝搬遅延時間の短い順、伝搬遅延時間が所定時間以下であるか否かなど）に基づいて、その無線信号の受信品質が所定品質以上である基地局のいずれかを接続先として選択する。すなわち、移動局は、所定品質以上の通信品質が期待できる基地局の中から自局に近いものを接続先として選択する。このため、本発明によれば、移動局の通信を維持しながら、ＯＦＤＭＡ方式特有のシンボル間干渉を低減することができる。
【００１８】
また、本発明の一態様では、前記選択手段は、前記測定手段より測定される受信品質が所定品質以上である基地局の中から、前記推定手段により推定される伝搬遅延時間が最も短い基地局を接続先として選択してもよい。
【００１９】
この態様によれば、ＯＦＤＭＡ方式特有のシンボル間干渉をより確実に低減することができる。
【００２０】
また、本発明の一態様では、前記選択手段により選択される基地局が当該移動局が接続している基地局と異なる場合に、前記選択手段により選択される基地局へのハンドオーバを行ってもよい。
【００２１】
また、本発明の一態様では、当該移動局が接続している基地局から送信される無線信号の受信品質が前記所定品質未満となった場合に、前記選択手段により選択される基地局へのハンドオーバを行ってもよい。
【００２２】
また、本発明の一態様では、前記選択手段により選択される基地局に新規接続を要求してもよい。
【００２３】
また、本発明の一態様では、前記推定手段は、前記複数の基地局のそれぞれから送信される無線信号の受信タイミングに基づいて、該無線信号の伝搬遅延時間を推定してもよい。
【００２４】
また、本発明の一態様では、前記推定手段は、当該移動局と前記複数の基地局それぞれとの距離を取得し、該距離に基づいて、前記複数の基地局のそれぞれから送信される無線信号の伝搬遅延時間を推定してもよい。
【００２５】
また、本発明に係る接続先選択方法は、直交周波数分割多元接続方式を採用する複数の基地局のそれぞれから送信され移動局に受信される無線信号の受信品質を測定するステップと、前記複数の基地局のそれぞれから送信され前記移動局に受信される無線信号の伝搬遅延時間を推定するステップと、前記推定された伝搬遅延時間の短さに基づいて、前記複数の基地局のうち前記受信品質が所定品質以上である基地局のいずれかを前記移動局の接続先として選択するステップと、を含むことを特徴とする。
【図面の簡単な説明】
【００２６】
【図１】本発明の実施形態に係る移動通信システムの構成を示す図である。
【図２】本実施形態に係る移動通信システムにおける無線チャネル構成を示す図である。
【図３】本実施形態に係る移動局の機能ブロック図である。
【図４】本実施形態に係る移動局のハンドオーバ起動判定処理を示すフロー図である。
【図５】ＯＦＤＭＡ方式を採用する従来の移動通信システムの構成を示す図である。
【図６】図５に示す基地局５４−３における、移動局５２−３からの受信信号と、移動局５２−１からの受信信号と、ＦＦＴタイミングと、の関係の一例を示す図である。
【図７】図５に示す基地局５４−２における、移動局５２−２からの受信信号と、移動局５２−１からの受信信号と、ＦＦＴタイミングと、の関係の一例を示す図である。
【発明を実施するための形態】
【００２７】
以下、本発明の一実施形態を図面に基づいて詳細に説明する。
【００２８】
図１は、本発明の実施形態に係る移動通信システム１０の構成を示す図である。図１に示すように、移動通信システム１０は、移動局１２（ここでは１つのみを示す）と、複数の基地局１４（ここでは移動局１２の周辺に位置する基地局１４−１〜１４−３のみを示す）と、を含んで構成される。ここでは、基地局１４−１〜１４−３のセル１６−１〜１６−３が、相互に重複しているものとする。
【００２９】
基地局１４は、ＯＦＤＭＡ方式およびＴＤＭＡ／ＴＤＤ方式により、自局のセル１６内に位置する移動局１２と無線通信を行う。なお、移動局１２としては、携帯電話機、通信カード、通信機能を内蔵した携帯情報端末などがある。
【００３０】
図２は、移動通信システム１０における無線チャネル構成を示す図である（縦軸：周波数、横軸：時間）。図２に示すように、移動通信システム１０では、所定周期（ここでは５ｍｓ）のＴＤＭＡフレームが上りサブフレーム（２．５ｍｓ）と下りサブフレーム（２．５ｍｓ）とに区分され、さらに各サブフレームがそれぞれ複数のタイムスロット（ここではＳｌｏｔ１〜Ｓｌｏｔ４）に区分されている。基地局１４−１〜１４−３の間では、ＴＤＭＡフレーム（無線信号の送受信周期）の境界が所定時間内（たとえば±１０μｓ内）に収まるよう、無線信号の送受信タイミングの同期がなされている（フレーム同期がなされている）。また、所定の周波数帯域に複数のＯＦＤＭＡサブチャネル（ここではＳｃｈ１〜Ｓｃｈ１８）が規定されている。
【００３１】
基地局１４が移動局１２に割り当てる無線チャネルの最小単位はＰＲＵ（Physical Resource Unit）と呼ばれ、各ＰＲＵは、タイムスロット（Ｓｌｏｔ１〜Ｓｌｏｔ４）のいずれかと、サブチャネル（Ｓｃｈ１〜Ｓｃｈ１８）のいずれかと、に属する。なお、上りサブフレームおよび下りサブフレームともに、各ＰＲＵが、たとえば１から始まる連続するＰＲＵ番号（１，２，３，・・・）で識別されるよう定められており、ＰＲＵ番号の同じＰＲＵは上下ペアで使用されることになっている。つまり、ＰＲＵは上下対称に割り当てられる。
【００３２】
このうち、ある特定のサブチャネル（ここではＳｃｈ１）に属するＰＲＵは、１以上の移動局１２に共用されるＣＣＨ（Common Channel：共通チャネル）として規定されている。また、各基地局１４には、所定の周期で繰り返される互いに重複しないＣＣＨの送受信タイミング（以下単に「ＣＣＨタイミング」という）が割り当てられている。具体的には、連続する２０フレームに含まれる８０のタイムスロット対（４対の上下タイムスロット×２０フレーム）のいずれか１つがＣＣＨタイミングとして各基地局１４に割り当てられている。そして、各基地局１４は、自局に割り当てられたＣＣＨタイミングで、自局のセル１６内に位置する１以上の移動局１２と各種制御信号を送受信する。
【００３３】
一方、上記特定のサブチャネル以外のサブチャネル（ここではＳｃｈ２〜Ｓｃｈ１８）に属するＰＲＵは、各移動局１２に個別に割り当てられるＩＣＨ（Individual Channel：個別チャネル）として用いられる。ＩＣＨには、各移動局１２に個別制御チャネルとして原則１つ割り当てられ主に制御情報の伝送に用いられるＡＮＣＨ（Anchor Channel）、各移動局１２に通信チャネルとして１つ以上割り当てられ主に通信データの伝送に用いられるＥＸＣＨ（Extra Channel）などがある。
【００３４】
移動局１２は、周辺の基地局１４（接続中の基地局１４を含む）のそれぞれから送信される無線信号を受信している。基地局１４から移動局１２に対して送信される無線信号には、ＣＣＨを介して送信されるＢＣＣＨ（Broadcasting Control Channel：報知制御チャネル）やＰＣＨ（Paging Channel：一斉呼出チャネル）、ＩＣＨを介して送信される制御信号や通信信号などがある。
【００３５】
そして、移動局１２は、受信された無線信号の伝搬遅延時間の短さに基づいて、その無線信号の受信品質が所定品質（通信を維持するために必要とされる受信品質）以上である基地局１４のいずれかを接続先として選択する。すなわち、移動局１２は、所定品質以上の通信品質が期待できる基地局１４の中から自局に近いものを接続先として選択する。このため、移動通信システム１０では、移動局１２の通信を維持しながら、ＯＦＤＭＡ方式特有のシンボル間干渉を低減することができる。
【００３６】
以下では、上記処理を実現するために移動局１２が備える構成について具体的に説明する。
【００３７】
図３は、移動局１２の機能ブロック図である。図３に示すように、移動局１２は、アンテナ２０、受信ＲＦ部２２、受信ベースバンド部２４、受信品質測定部２６、伝搬遅延時間推定部２８、接続先選択部３０、ハンドオーバ制御部３２、送信ベースバンド部３４、および送信ＲＦ部３６を含んで構成される。
【００３８】
アンテナ２０は、周辺の基地局１４（接続中の基地局１４を含む）のそれぞれから送信される無線信号を受信し、受信された無線信号（受信信号）を受信ＲＦ部２２に出力する。また、アンテナ２０は、受信ＲＦ部２２から供給される無線信号を接続中の基地局１４または接続先となる基地局１４に対して送信する。
【００３９】
受信ＲＦ部２２は、低雑音増幅器、周波数変換器、帯域通過フィルタ、およびＡ／Ｄ変換器を含んで構成される。受信ＲＦ部２２は、アンテナ２０から入力される無線信号を、低雑音増幅器で増幅した後、中間周波数信号にダウンコンバートし、さらにデジタル信号に変換に変換してから、受信ベースバンド部２４に出力する。
【００４０】
受信ベースバンド部２４は、直並列変換器、ＦＦＴ（Fast Fourier Transform）部、並直列変換器、および復調部（図示せず）を含んで構成される。受信ベースバンド部２４は、受信ＲＦ部２２から入力されるデジタル信号に、直並列変換、ＣＰの除去、１次復調（高速フーリエ変換）、並直列変換、２次復調（シンボルデマッピング）などを施し、得られた受信データを上位レイヤ（図示せず）に出力する。
【００４１】
受信品質測定部２６は、受信ベースバンド部２４での１次復調（高速フーリエ変換）により得られる複素シンボル列に基づいて、周辺の基地局１４のそれぞれから送信される無線信号の受信品質を測定する。なお、基地局１４から送信される無線信号には、ＣＣＨ（共通チャネル）を介して送信されるＢＣＣＨ（報知制御チャネル）やＰＣＨ（一斉呼出チャネル）、ＩＣＨ（個別チャネル）を介して送信される制御信号や通信信号などがある。また、受信品質測定部２６で検出される回線品質には、ＲＳＳＩ（受信信号強度）、ＳＩＮＲ（Signal to Interference and Noise Ratio：信号対干渉および雑音電力比）、ＦＥＲ（Frame Error Rate：フレーム誤り率）などがある。
【００４２】
伝搬遅延時間推定部２８は、周辺の基地局１４のそれぞれから送信される無線信号の伝搬遅延時間を推定する。基地局１４から送信される無線信号には、フレーム同期用のトレーニングシンボル（既知信号）が含まれている。そこで、伝搬遅延時間推定部２８は、受信ベースバンド部２４での１次復調（高速フーリエ変換）により得られる複素シンボル列と、トレーニングシンボルと、の相関値を検出し、所定値以上の相関値が検出されたタイミングを、基地局１４から送信された無線信号の受信タイミングとして取得する。そして、伝搬遅延時間推定部２８は、取得された無線信号の受信タイミングに基づいて、その無線信号の伝搬遅延時間を推定する。
【００４３】
なお、伝搬遅延時間推定部２８は、移動局１２と周辺の基地局１４それぞれとの距離を取得し、その距離に基づいて、それら周辺の基地局１４のそれぞれから送信される無線信号の伝搬遅延時間を推定してもよい。移動局１２と基地局１４との距離は、たとえば、ＧＰＳ情報などに基づいて取得される移動局１２の位置および基地局１４の位置から算出される。
【００４４】
接続先選択部３０は、受信品質測定部２６により測定される受信品質と、伝搬遅延時間推定部２８により推定される伝搬遅延時間と、に基づいて、周辺の基地局１４のいずれかを接続先として選択する。具体的には、接続先選択部３０は、伝搬遅延時間推定部２８により推定される伝搬遅延時間の短さ（たとえば、伝搬遅延時間の短い順、伝搬遅延時間が所定時間以下であるか否かなど）に基づいて、受信品質測定部２６により測定される受信品質が所定品質以上である基地局１４のいずれかを接続先として選択する。なお、接続先選択部３０は、受信品質測定部２６により測定される受信品質が所定品質以上である基地局１４の中から、伝搬遅延時間推定部２８により推定される伝搬遅延時間が最も短い基地局１４（所定品質以上の通信品質が期待できる基地局１４の中で移動局１２に最も近いもの）を接続先として選択することが望ましい。
【００４５】
ハンドオーバ制御部３２は、移動局１２が接続している基地局１４から送信される無線信号の受信品質が所定品質未満となった場合、すなわち、通信を維持するために移動局１２のハンドオーバが必要となった場合に、接続先選択部３０により選択される基地局１４へのハンドオーバを行うよう（接続先選択部３０により選択される基地局１４に接続要求メッセージを送信するよう）、移動局１２の各部を制御する。これにより、移動局１２は所定品質以上の通信品質が期待できる近くの基地局１４にハンドオーバするため、移動局１２が周辺セルへのシンボル間干渉源となる確率を低減することができる。
【００４６】
また、ハンドオーバ制御部３２は、移動局１２のハンドオーバが必ずしも必要ではない場合であっても、接続先選択部３０により選択される基地局１４が移動局１２が接続している基地局１４と異なる場合には、接続先選択部３０により選択される基地局１４へのハンドオーバを行うよう、移動局１２の各部を制御してもよい。このように移動局１２がハンドオーバの起動タイミングを前倒しすれば、移動局１２が周辺セルへのシンボル間干渉源となる確率をさらに低減することができる。
【００４７】
送信ベースバンド部３４は、直並列変換器、ＩＦＦＴ（Inverse Fast Fourier Transform）部、並直列変換器、および変調部（図示せず）を含んで構成される。送信ベースバンド部３４は、上位レイヤ（図示せず）から入力される接続中の基地局１４または接続先となる基地局１４宛ての送信データに、１次変調（シンボルマッピング）、直並列変換、２次変調（逆高速フーリエ変換）、ＣＰの付加、並直列変換などを施し、得られたデジタル信号を送信ＲＦ部３６に出力する。
【００４８】
送信ＲＦ部３６は、電力増幅器、周波数変換器、帯域通過フィルタ、およびＤ／Ａ変換器を含んで構成される。送信ＲＦ部３６は、送信ベースバンド部３４から入力されるデジタル信号を、アナログ信号に変換した後、無線信号にアップコンバートし、電力増幅器で送信出力レベルまで増幅してから、アンテナ２０に供給する。
【００４９】
次に、移動局１２の接続先選択動作の一例を説明する。
【００５０】
図４は、所定の周期（たとえば２０フレーム周期）で実行される、移動局１２のハンドオーバ起動判定処理を示すフロー図である。ここでは、図１に示すように、基地局１４−１に接続している移動局１２が、基地局１４−２，１４−３から送信される無線信号を受信可能であるものとする。
【００５１】
図４に示すように、移動局１２は、その周辺に位置する基地局１４−１〜１４−３のそれぞれから送信される無線信号のＳＩＮＲ（受信品質の１つ）を測定する（Ｓ１００）。また、移動局１２は、基地局１４−１〜１４−３のそれぞれから送信される無線信号の伝搬遅延時間を推定する（Ｓ１０２）。
【００５２】
次に、移動局１２は、基地局１４−１〜１４−３のうち、測定されたＳＩＮＲが所定値（通信を維持するために必要とされるＳＩＮＲの閾値）以上である基地局１４を選出し（Ｓ１０４）、選出された基地局１４の中から、推定された伝搬遅延時間が最も短い基地局１４を接続先として選択する（Ｓ１０６）。
【００５３】
ここで、接続先として選択された基地局１４が接続中の基地局１４−１と異なる場合（Ｓ１０８：Ｎ）、すなわち、接続中の基地局１４−１よりも近い基地局１４が存在する場合、移動局１２は、接続先として選択された基地局１４へのハンドオーバを起動する（Ｓ１１０）。一方、接続先として選択された基地局１４が接続中の基地局１４−１と同じ場合（Ｓ１０８：Ｙ）、移動局１２は、ハンドオーバを起動することなく本処理を終了する。
【００５４】
以上説明した移動通信システム１０によれば、移動局１２は、所定品質以上の通信品質が期待できる基地局１４の中から自局に近いものを接続先として選択する。このため、移動局１２の通信を維持しながら、ＯＦＤＭＡ方式特有のシンボル間干渉を低減することができる。
【００５５】
なお、本発明は、上記実施形態に限定されるものではない。
【００５６】
たとえば、本発明は、移動局１２がハンドオーバを行う場面に限らず、移動局１２が新規接続を行う場面にも適用可能である。この場合、移動局１２は、接続先選択部３０により選択される基地局１４に新規接続を要求するための接続要求メッセージを送信すればよい。
【符号の説明】
【００５７】
１０，５０  移動通信システム、１２，５２  移動局、１４，５４  基地局、１６，５６  セル、２０  アンテナ、２２  受信ＲＦ部、２４  受信ベースバンド部、２６  受信品質測定部、２８  伝搬遅延時間推定部、３０  接続先選択部、３２  ハンドオーバ制御部、３４  送信ベースバンド部、３６  送信ＲＦ部、５８  建物。
【図１】
2011114603.tif 000003
【図２】
2011114603.tif 000004
【図３】
2011114603.tif 000005
【図４】
2011114603.tif 000006
【図５】
2011114603.tif 000007
【図６】
2011114603.tif 000008
【図７】
2011114603.tif 000009